(57)【要約】【課題】  ネジ、釘等の固定具での取着固定作業を行い易く、施工外観も良好となる雨水ますを提供する。【解決手段】  箱型のます本体１の取り付け面２が建物３の被取り付け面４に接合され、ネジ、釘等の固定具５で同被取り付け面４に取着固定される雨水ますであって、ます本体１の取り付け面２の周縁部分に外方へ突出した鍔状フランジ６を形成し、この鍔状フランジ６の表面を外方へ向かい建物３の被取り付け面４側へ傾斜させて固定具５が差し込まれる固定具挿入面部７とした。【選択図】図１
2006299646.tif 000002
【特許請求の範囲】
【請求項１】
箱型のます本体の取り付け面が建物の被取り付け面に接合され、ネジ、釘等の固定具で同被取り付け面に取着固定される雨水ますであって、ます本体の取り付け面の周縁部分に外方へ突出した鍔状フランジを形成し、この鍔状フランジの表面を外方へ向かい建物の被取り付け面側へ傾斜させて固定具が差し込まれる固定具挿入面部とした雨水ます。
【請求項２】
鍔状フランジの固定具挿入面部の背方が中空状となるように、ます本体の周壁を折曲させて同鍔状フランジを形成したことを特徴とする請求項１記載の雨水ます。
【請求項３】
ます本体の上面及び背面を取り付け面とし、両取り付け面の周縁部分に連続させて鍔状フランジを形成したことを特徴とする請求項１又は２記載の雨水ます。
【発明の詳細な説明】
【技術分野】
【０００１】
本願発明は、箱型のます本体の取り付け面が建物の被取り付け面に接合され、ネジ、釘等の固定具で同被取り付け面に取着固定される雨水ますに関するものである。
【背景技術】
【０００２】
従来から、図６に示す如く、箱型のます本体１の取り付け面２が建物の被取り付け面（軒裏面）に接合され、ネジである固定具５で同被取り付け面に取着固定される雨水ますは知られている（特許文献１：特開平７−１１３３０３号公報）。この雨水ますにおいて、ます本体１は上面開口した箱型で同上面開口が取り付け面２となって、この開口した取り付け面２には蓋体１７が取着される。又、ます本体１の取り付け面２の周縁部分には外方へ突出した鍔状フランジ６が形成され、この鍔状フランジ６には固定具挿通孔１８が形成されている。
【０００３】
この場合、固定具挿通孔１８に下方から固定具５が挿通され、この固定具５が被取り付け面にねじ込まれることによって、ます本体１は同被取り付け面に取着固定される。そして、取り付け面２に取着される蓋体１７には円孔が穿設され、この円孔には竪樋の下端が差し込まれることで、同竪樋からます本体１の内部を通じてその底部分に形成された落とし口９へと雨水は流下排水されるようになる。しかしながら、この従来例である雨水ますにあっては、鍔状フランジ６の下方から電動ドライバー等の工具を用いて固定具５がねじ込まれるが、その際、ます本体１の外側面に同工具が当たってねじ込み作業を行い難いものであった。しかも、固定具挿通孔１８が形成された鍔状フランジ６がます本体１の外側方へと大きく突出して目立ち、施工外観が良くないものであった。
【０００４】
又、図７に示す如く、箱型のます本体１の背面である取り付け面２が建物３の被取り付け面（外壁面）４に接合され、ネジである固定具５で同被取り付け面４に取着固定される雨水ますも知られている（特許文献２：特開平１１−２１０１８２号公報）。この場合、ます本体１の背板部１２が被取り付け面４に固定具５で接合固定され、建物３の屋上から雨水を排水除去する排水エルボ１５が同背板部１２を貫通されて、ます本体１の内部へと導入されている。
【０００５】
そして、ます本体１の底部分に形成された落とし口９には竪樋１６が接続されて、前記屋上からの雨水は排水エルボ１５からます本体１の内部へと流入され、同落とし口９から竪樋１６へと排水される。しかしながら、この従来例である雨水ますにあっては、ます本体１の背板部１２の内側から固定具５がねじ込まれるものであるため、このねじ込み作業に際しては、ます本体１の上面開口に取着される蓋体１７を取り外す必要があり、ます本体１の内部から電動ドライバー等の工具を用いて同ねじ込み作業を行わなければならず、施工が困難で極めて手間取るものとなっていた。
【特許文献１】特開平７−１１３３０３号公報
【特許文献２】特開平１１−２１０１８２号公報
【発明の開示】
【発明が解決しようとする課題】
【０００６】
本願発明は、上記背景技術に鑑みて発明されたもので、その課題は、ネジ、釘等の固定具での取着固定作業を行い易く、施工外観も良好となる雨水ますを提供することである。
【課題を解決するための手段】
【０００７】
上記課題を解決するために、本願発明の雨水ますは、箱型のます本体の取り付け面が建物の被取り付け面に接合され、ネジ、釘等の固定具で同被取り付け面に取着固定される雨水ますであって、ます本体の取り付け面の周縁部分に外方へ突出した鍔状フランジを形成し、この鍔状フランジの表面を外方へ向かい建物の被取り付け面側へ傾斜させて固定具が差し込まれる固定具挿入面部としたものである。
【発明の効果】
【０００８】
本願発明の雨水ますにおいては、ます本体の取り付け面の周縁部分に外方へ突出した鍔状フランジが形成されており、この鍔状フランジの表面である固定具挿入面部からネジ、釘等の固定具を差し込んで、同取り付け面を建物の被取り付け面に接合固定することができる。固定具がネジの場合はねじ込み作業、釘の場合は打ち込み作業となるが、これ等の固定具での取着固定作業はます本体の外側から容易に行われる。しかも、固定具挿入面部が外方へ向かい建物の被取り付け面側へ傾斜しているため、固定具での取着固定作業に際して、電動ドライバーや金づち等の工具がます本体の外側面に当たり難く、同固定具での取着固定作業を行い易いものである。又、表面が傾斜した鍔状フランジ及び同傾斜した表面（固定具挿入面部）に差し込まれる固定具が表側から目立ち難く、施工外観はスッキリとした良好なものとなる。
【発明を実施するための最良の形態】
【０００９】
図１〜３は、本願請求項１〜３全てに対応した一実施形態である雨水ますを示している。この実施形態の雨水ますは、箱型のます本体１の取り付け面２が建物３の被取り付け面４に接合され、ネジ、釘等の固定具５で同被取り付け面４に取着固定されるものである。そして、ます本体１の取り付け面２の周縁部分に外方へ突出した鍔状フランジ６を形成し、この鍔状フランジ６の表面を外方へ向かい建物３の被取り付け面４側へ傾斜させて固定具５が差し込まれる固定具挿入面部７としたものである。
【００１０】
この実施形態の雨水ますでは、鍔状フランジ６の固定具挿入面部７の背方が中空状となるように、ます本体１の周壁を折曲させて同鍔状フランジ６を形成している。又、ます本体１の上面及び背面を取り付け面２ａ、２ｂとし、両取り付け面２ａ、２ｂの周縁部分に連続させて鍔状フランジ６ａ、６ｂを形成している。
【００１１】
以下、この実施形態の雨水ますを、より具体的詳細に説明する。図１は、この実施形態の雨水ますを、建物３の玄関ポーチ屋根８に施工した状態を示している。この場合、玄関ポーチ屋根８の下面が建物３の被取り付け面４ａとなり、同被取り付け面４ａにます本体１の上面開口である取り付け面２ａが接合固定されている。ここでは、ます本体１の上面開口において形成された鍔状フランジ６ａの傾斜した表面である固定具挿入面部７ａに、ネジである固定具５が差し込まれて前記被取り付け面４ａにねじ込み固定される。ます本体１の下方には落とし口９が一体に垂設され、この落とし口９には排水用の鎖状樋１０が連結垂下されている。したがって、玄関ポーチ屋根８上に降り溜まった雨水は雨水ますのます本体１の内部に集水され、落とし口９から鎖状樋１０を伝って流下排水される。
【００１２】
この実施形態の雨水ますは、合成樹脂にて一体成形されたり、金属板にて折曲加工されたりして製造され、図２、３に示す如く、そのます本体１が上面開口の箱型に形成される。ます本体１は中空の略立方体形状で、前板部１１、背板部１２、両側板部１３、底板部１４で形成され、その上面開口が取り付け面２ａとなって、前記玄関ポーチ屋根８の下面である被取り付け面４ａに接合固定される。又、ます本体１の背面となる背板部１２の外側面も、後述の建物３の被取り付け面（外壁面）４ｂに接合固定される取り付け面２ｂとなる。ます本体１の底板部１４には、円筒状の前記落とし口９が一体に垂設されている。
【００１３】
ます本体１の上面開口である取り付け面２ａと背面である取り付け面２ｂとに、その周縁部分に連続して鍔状フランジ６ａ、６ｂが形成されている。この場合、ます本体１の上面開口において、前板部１１及び両側板部１３の上端縁部分が、図２（ｂ）に示す如く、外方へ傾斜するように折曲した形状とされて鍔状フランジ６ａが形成され、この鍔状フランジ６ａの表面が外方へ向かい建物３の被取り付け面４ａ側（ここでは、前記玄関ポーチ屋根８の下面側）へ傾斜した固定具挿入面部７ａとなる。このように、ます本体１の周壁（前板部１１及び両側板部１３）の上端縁部分を折曲させて鍔状フランジ６ａを形成すると、この鍔状フランジ６ａの固定具挿入面部７ａの背方裏側が中空状となる。
【００１４】
又、ます本体１の背面において、背板部１２の両側縁に連続する両側板部１３の後端縁部分が、図３（ｃ）に示す如く、外方へ傾斜するように折曲した形状とされて鍔状フランジ６ｂが形成され、この鍔状フランジ６ｂの表面が外方へ向かい建物３の被取り付け面４ｂ側（ここでは、後記外壁面側）へ傾斜した固定具挿入面部７ｂとなる。このように、ます本体１の周壁（両側板部１３）の後端縁部分を折曲させて鍔状フランジ６ｂを形成すると、この鍔状フランジ６ｂの固定具挿入面部７ｂの背方裏側が中空状となる。この場合、背板部１２と側板部１３とのなすコーナー部分が外方へ略Ｖ字状に折曲された形状となり、その前面側表面が固定具挿入面部７ｂとなって、同略Ｖ字状内部は中空状となる。なお、図３（ａ）において、Ｘは固定具５の差し込み位置を示している。
【００１５】
したがって、この実施形態の雨水ますにおいては、ます本体１の取り付け面２の周縁部分に外方へ突出した鍔状フランジ６が形成されており、この鍔状フランジ６の表面である固定具挿入面部７からネジ、釘等の固定具５を差し込んでこの固定具５により、同取り付け面２を建物３の被取り付け面４に接合固定することができる。固定具５がネジの場合はねじ込み作業、釘の場合は打ち込み作業となるが、これ等の固定具５での取着固定作業はます本体１の外側から容易に行われる。
【００１６】
しかも、前記固定具挿入面部７が外方へ向かい建物３の被取り付け面４側へ傾斜しているため、釘等の固定具５を斜め外側方から差し込んで取着固定作業を行うことができ、同固定具５での取着固定作業に際して、電動ドライバーや金づち等の工具がます本体１の外側面に当たり難く、同固定具５での取着固定作業を行い易いものである。又、表面が傾斜した鍔状フランジ６及び同傾斜した表面（固定具挿入面部７）に差し込まれる固定具５が、表側からは目立ち難くて施工外観もスッキリとした良好なものとなる。
【００１７】
又、この実施形態の雨水ますにおいては、鍔状フランジ６の固定具挿入面部７の背方が中空状となるように、ます本体１の周壁を折曲させて同鍔状フランジ６を形成しているので、同ます本体１と鍔状フランジ６とを一体として簡単に製造することができる。しかも、この場合には、鍔状フランジ６の固定具挿入面部７の背方が中空状であることによって、固定具５をねじ込んだり打ち込んだりする際の抵抗が少なくなり、同固定具５を固定具挿入面部７に差し込み易くなる。
【００１８】
又、この実施形態の雨水ますにおいては、ます本体１の上面（開口）及び背面を取り付け面２ａ、２ｂとし、両取り付け面２ａ、２ｂの周縁部分に連続させて鍔状フランジ６ａ、６ｂを形成しているので、前記の如く、ます本体１の上面である取り付け面２ａを建物３の玄関ポーチ屋根８等の下面である被取り付け面４ａに取り付ける施工状態と、後記の如く、ます本体１の背面である取り付け面２ｂを建物３の外壁面である被取り付け面４ｂに取り付ける施工状態と、の両施工状態に対応することができ、いずれの場合にも前記作用効果が奏される。
【００１９】
図４、５は、前記実施形態の雨水ますを、建物３の外壁面（被取り付け面４ｂ）に取着固定した別の施工状態を示している。この場合には、図４に示す如く、建物３の外壁面が被取り付け面４ｂとなり、同被取り付け面４ｂにます本体１の背面である取り付け面２ｂが接合固定されている。ここでは、ます本体１の背面両側に形成された鍔状フランジ６ｂの傾斜した表面である固定具挿入面部７ｂに、ネジである固定具５が斜め外側方から差し込まれて前記被取り付け面４ｂにねじ込み固定される。
【００２０】
又、ます本体１の背板部１２が被取り付け面４ｂに前記固定具５で接合固定され、建物３の屋上から雨水を排水除去する排水エルボ１５がます本体１の内部へとその上面開口から導入されている。そして、ます本体１の底板部１４に形成された落とし口９には竪樋１６が接続されて、前記屋上からの雨水は排水エルボ１５からます本体１の内部へと流入され、同落とし口９から竪樋１６へと排水される。なお、それ以外は、前記施工状態と同様の構成となり、前記施工状態におけると同様の作用効果が奏される。
【図面の簡単な説明】
【００２１】
【図１】本願発明の一実施形態である雨水ますの施工状態を示す概略側面図。
【図２】同雨水ますを示す（ａ）は平面図、（ｂ）は（ａ）におけるＡ−Ａ断面図。
【図３】同雨水ますを示す（ａ）は側面図、（ｂ）は左半分正面図、（ｃ）は（ａ）におけるＢ−Ｂ断面図。
【図４】同雨水ますの別の施工状態を示す斜視図。
【図５】同施工状態での要部横断面図。
【図６】従来例である雨水ますを示す分解斜視図。
【図７】別の従来例である雨水ますの施工状態を示す縦断面図。
【符号の説明】
【００２２】
１  ます本体
２  取り付け面
２ａ  上面開口である取り付け面
２ｂ  背面である取り付け面
３  建物
４  被取り付け面
４ａ  玄関ポーチ屋根の下面である被取り付け面
４ｂ  外壁面である被取り付け面
５  固定具
６  鍔状フランジ
６ａ  上面開口側の鍔状フランジ
６ｂ  背面側の鍔状フランジ
７  固定具挿入面部
７ａ  上面開口側の固定具挿入面部
７ｂ  背面側の固定具挿入面部
【図１】
2006299646.tif 000003
【図２】
2006299646.tif 000004
【図３】
2006299646.tif 000005
【図４】
2006299646.tif 000006
【図５】
2006299646.tif 000007
【図６】
2006299646.tif 000008
【図７】
2006299646.tif 000009